(57)【特許請求の範囲】
【請求項１】
圃場を区分する簡易畦畔であって、地中に埋設される水平基板（１１）からほぼ垂直に支持板（１２）を立ち上げた脚体（１）と、水平板（２１）の両側に側板（２２）をほぼ垂直に垂下させると共に、水平板（２１）の下面に側板（２２）と並行に係止溝（２４）を設けた踏板（２）とからなり、前記脚体（１）の支持板（１２）上部をプラスチックシート（３）で覆うと共に、キャップ部材（４）を介して支持板（１２）上部を水平板（２１）の下面に設けた係止溝（２４）に挿入し、また支持板（１２）と水平基板（１１）に添わせて垂らしたプラスチックシート（３）の端部を地中に埋設したことを特徴とする簡易畦畔。
【請求項２】
脚体（１）と踏板（２）は廃棄プラスチックで形成したことを特徴とする請求項１記載の簡易畦畔。
【発明の詳細な説明】
【０００１】
【発明の属する技術分野】
本発明は、水田等に設置して圃場を簡単に区分できると共に、畦畔部での用水の漏洩を未然に防止できる簡易畦畔に関する。
【０００２】
【従来の技術】
従来から水田等では、土盛りをしたり、コンクリート製の畦畔ブロックを敷き並べて圃場を所定区画に区分すると共に、暗渠排水、給水設備などを設置して畦畔で区分した単位区画毎に用水の一元管理を行なっている。
【０００３】
【発明が解決しようとする課題】
ところで、水田の用水管理を単位区画毎に行なう場合には、畦畔部を通して隣りの区画から用水が浸入したり、逆に浸出するのを防止しなければならないが、土盛りによって畦畔を形成した場合にはザリガニやもぐら等によって畦畔部に穴が開けられるため、用水の出入を防止することができなかった。またコンクリート製の畦畔ブロックを敷き並べた場合にはブロックの継目や、ブロックの下を掻い潜って用水が出入りするのを防止できないだけでなく、コンクリート製の畦畔ブロックはかなりの重量があるため運搬・施工作業が重労働となり、作業者不足と相俟って施工作業に日数を要するということがあった。
【０００４】
そこで、本件出願人は、特願平８ー１９７３８号で畦畔ブロックとプラスチックシートを用いた画期的な簡易畦畔を提案したが、プラスチックシートが破断し易いという問題があった。即ち、従来の簡易畦畔は図４に展開図で示した如く、踏板２ａを脚体１ａに装着するとき、支持板１２ａを覆うプラスチックシート３ａが踏板２ａの支持突起２３ａと擦れて破損したり、引き伸ばされて破れる危険性があった。
【０００５】
本発明は、かかる課題を解決したものであって、設置が容易で、かつ圃場を簡単に区分できると共に、プラスチックシートが破断して用水が漏洩することのない簡易畦畔を提供するものである。
【０００６】
【課題を解決するための手段】
本発明は、圃場を区分する簡易畦畔であって、地中に埋設される水平基板からほぼ垂直に支持板を立ち上げた脚体と、水平板の両側に側板をほぼ垂直に垂下させると共に、水平板の下面に側板と並行に係止溝を設けた踏板とからなり、前記脚体の支持板上部をプラスチックシートで覆うと共に、キャップ部材を介して支持板上部を水平板の下面に設けた係止溝に挿入し、また支持板と水平基板に添わせて垂らしたプラスチックシートの端部を地中に埋設したことを特徴とする。
【０００７】
前記脚体と踏板はコンクリート等と比較して比重が小さいプラスチックで成形するとよいが、経済性及び環境衛生の観点からすれば廃棄プラスチックを用いて成形するのが好ましい。
【０００８】
【発明の実施の形態】
以下、本発明の実施の形態を図面に基づいて詳細に説明する。
図１は本発明の一実施例を示す展開斜視図、図２は簡易畦畔を圃場に設置した状態の断面図、図３は脚体に踏板を装着した状態を示す要部拡大断面図である。図中の符号１は脚体、２は踏板であって、脚体１及び踏板２は塩ビ樹脂、ポリエチレンなどのプラスチック、あるいはこれらの廃プラを射出成形あるいは発泡成形することによって得られたものである。３は塩ビ、ポリエチレン、ポリプロピレン等からなる肉薄のプラスチックシート、４はキャップ部材である。
【０００９】
脚体１は地中に埋設される水平基板１１のほぼ中央から支持板１２をほぼ垂直に立ち上げた構成からなっており、支持板１２の長手方向の一端には一対の挾持片１３，１３が設けられている。挾持片１３，１３は脚体１の位置決めと継手の役目をなすものであって、複数の脚体１を敷き並べて接続するとき、脚体１の一端に設けられた挾持片１３，１３の間に、次の脚体１の支持部１２を嵌入するだけで接続することができる。
【００１０】
一方は、踏板２は水平板２１の両側に側板２２、２２をほぼ垂直に垂下させると共に、水平板２１の下面に側板２２と並行して一対の支持突起２３，２３を設けた構成からなっており、支持突起２３，２３の間には脚体１の支持板１２を挿入できる係止溝２４が設けられている。また、踏板２の長手方向の一端には断面コ字状の切欠段部２５が設けられており、その他端には前記切欠段部２５と嵌合する断面コ字状の突起２６が設けられている。
【００１１】
次に、本発明の簡易畦畔による施工手順を説明する。
まず、圃場を区分する所定位置を掘削して溝５を設けると共に、該溝５の底面を地ならしして平坦に仕上げる。そこで、溝５の底面に脚体１を順次敷き並べつつ、脚体１の一端に設けた挾持片１３，１３の間に、次の脚体１の支持部１２を嵌入させて順次接続する。
【００１２】
この様にして、脚体１を所定区間に亘って敷設したのち、脚体１のライン上に長尺のプラスチックシート３を被せ、支持板１２の上部を覆うプラスチックシート３の上からキャップ部材４を装着する。すると、溝５の底面に敷き並べた複数の脚体１は支持部１２の上端で一直線に整えられると共に、プラスチックシート３がキャップ部材４で保持される。このとき、キャップ部材４は厚手の塩ビシートやポリエチレンシート等を断面Ｕ字状に折り曲げたものが好適に使用できるが、Ｃ型鋼を用いて複数の脚体１を一体に連結するようにしてもよい。
【００１３】
そこで、図２に一点鎖線で示したＧ１の位置まで一次の埋め戻しを行ない、一直線となった脚体１のライン上に踏板２を順次載置する。このとき、脚体１の支持板１２の上部を踏板２に設けた係止溝２４に挿入して固定すると共に、踏板２の一端に設けた切欠段部２５に他方の踏板２の突起２６を嵌合させて順次接続する。この接続操作の際に、支持板１２の上部を覆うプラスチックシート３はキャップ部材４で保護されているため、破損したり、引き伸ばされて破れることもない。
【００１４】
最後に、図２に二点鎖線で示したＧＬの位置まで埋め戻しを行なうと施工作業が完了する。本発明は脚体１と踏板２を組み合わせて畦畔を形成するので、圃場を簡単に区分することができると共に、用水の漏洩をプラスチックシート３によって確実に防止することができる。特に、プラスチックシート３は地中深くまで埋設されるため、脚体１の下部を掻い潜って隣りの区画から用水が浸入したり、逆に浸出すこともない。
【００１５】
尚、脚体１と踏板２をプラスチックの成形加工によって製造する場合には、加工時の歪みによって脚体１と踏板２に反りが生じ、図３に示した如く踏板２とキャップ部材４との間に隙間が発生してガタツクことがある。この場合には、踏板２の水平板２１に貫通孔２１０を設け、該貫通孔２１０から踏板２とキャップ部材４との隙間に発泡剤、パテ等を充填してガタツキをなくすと良い。
【００１６】
【発明の効果】
以上詳述した如く、本発明は脚体と踏板の組み合わせによって畦畔を形成するので、圃場を簡単に区分することができ、畦畔が不要となったときにも簡単に撤去することができる。また、本発明ではキャップ部材がプラスチックシートの破断を防止し、地中深くまで埋設されたプラスチックシート３が隣りの区画からの用水の出入りを防止するので、畦畔で区分した単位区画毎に用水の一元管理を行なうことができる。
【図面の簡単な説明】
【図１】図１は本発明の一実施例を示す展開斜視図である。
【図２】図２は簡易畦畔を圃場に設置した状態の断面図である。
【図３】図３は脚体に踏板を装着した状態を示す要部拡大断面図である。
【図４】図４は従来例を示す簡易畦畔の展開図である。
【符号の説明】
１    脚体
２    踏板
３    プラスチックシート
４    キャップ部材
１１    水平基板
１２    支持板
２１    水平板
２２    側板
【図１】
0003634502.tif 000002
【図２】
0003634502.tif 000003
【図３】
0003634502.tif 000004
【図４】
0003634502.tif 000005